(57)【要約】【課題】ボックスの使用スペースを十分に確保できると共に、操作性に優れたドリンクホルダ構造を提供する。【解決手段】ドリンクホルダ構造は、収納部１６を有するボックス部１０と、ドリンクの容器を保持するホルダ部２０と、ボックス部１０及びホルダ部２０を収納するケース部３０と、を備える。ケース部３０の側面に、ホルダ部２０が引出され又は収納される際の上下方向の動きを規制する下側ガイド溝３６、上側ガイド溝３７が設けられ、ホルダ部２０の側面に、下側ガイド溝３６及び上側ガイド溝３７とそれぞれ嵌合する下突起２４ａ及び上突起２４ｂが設けられる。ホルダ部２０は、ケース部３０に対して上向きに回動可能に設けられている。【選択図】図２
2019156159.tif 000002
【特許請求の範囲】
【請求項１】
収納スペースを有するボックス部と、
ドリンクの容器を保持するホルダ部と、
前記ボックス部及び前記ホルダ部を収納するケース部と、を備え、
前記ボックス部及び前記ホルダ部は、前記ケース部から引出可能かつ前記ケース部へ収納可能に設けられ、
さらに、前記ホルダ部は、前記ケース部に対して上向きに回動可能に設けられている、
ことを特徴とするドリンクホルダ構造。
【請求項２】
前記ケース部の側面に、前記ホルダ部が引出され又は収納される際の上下方向の動きを規制する溝部が設けられ、他方、前記ホルダ部の側面に、前記溝部と嵌合する突起部が設けられ、
前記突起部を回転中心として前記ホルダ部が前記ケース部に対して上向きに回動する、
ことを特徴とする請求項１に記載のドリンクホルダ構造。
【請求項３】
前記溝部は、ループ状に形成されたループ部を有する、
ことを特徴とする請求項２に記載のドリンクホルダ構造。
【請求項４】
前記溝部は、溝幅が拡大された拡幅部を有する、
ことを特徴とする請求項２に記載のドリンクホルダ構造。
【請求項５】
前記ホルダ部は、引出される側の前側部と収納される側の後側部とに分離され、前記前側部が前記後側部に対して上向きに回動可能に設けられている、
ことを特徴とする請求項１に記載のドリンクホルダ構造。
【発明の詳細な説明】
【技術分野】
【０００１】
本開示は、引出式のドリンクホルダ構造に関する。
【背景技術】
【０００２】
車両の車室内等に装備されるドリンクホルダ構造の例として、ケース内に収納されたボックス及びホルダをスライド移動して使用する引出式のドリンクホルダ構造がある。この構造では、一つの装置でドリンクホルダとして使用したり、ボックスのみを使用したり、目的に応じて使い分けることが可能である。
【０００３】
例えば、ドリンクホルダとして使用したいユーザは、ケースから先ずボックスを引出し、次にホルダを引出して使用する。しかし、ボックス及びホルダの双方を別々に引出す必要があるため、使い勝手が悪くなる。このため、ボックスを引出す際に、ホルダを追従させる構造にすることが考えられるが、今度はボックスのみを使用したいいユーザにとって使い勝手が悪くなる。
【０００４】
上記問題点から、ボックス側に設けた突起と対向させてホルダ側にも突起を設け、ボックス及びホルダをスライド移動させる際に、ホルダ側の突起がボックス側の突起を乗越えた場合はホルダがボックスの移動に追従し、突起を乗越えない場合はホルダがボックスの移動に追従しない構成が開示されている（例えば、特許文献１参照）。
【先行技術文献】
【特許文献】
【０００５】
【特許文献１】特開２０１０−２２８４９４号公報
【発明の概要】
【発明が解決しようとする課題】
【０００６】
しかしながら、上記構成では、ホルダをケースから引出すために、予め指を掛ける領域を確保したり、引出す途中で指を掛け直したりする必要が生じる。このため、ボックスの使用スペースが十分に確保できない場合や、操作性が悪くなる場合があった。
【０００７】
本開示の技術は、ボックスの使用スペースを十分に確保できると共に、操作性に優れたドリンクホルダ構造を提供することを目的とする。
【課題を解決するための手段】
【０００８】
本開示の技術は、収納スペースを有するボックス部と、ドリンクの容器を保持するホルダ部と、前記ボックス部及び前記ホルダ部を収納するケース部と、を備え、前記ボックス部及び前記ホルダ部は、前記ケース部から引出可能かつ前記ケース部へ収納可能に設けられ、さらに、前記ホルダ部は、前記ケース部に対して上向きに回動可能に設けられている、ことを特徴とする。
【０００９】
前記ケース部の側面に、前記ホルダ部が引出され又は収納される際の上下方向の動きを規制する溝部が設けられ、他方、前記ホルダ部の側面に、前記溝部と嵌合する突起部が設けられ、前記突起部を回転中心として前記ホルダ部が前記ケース部に対して上向きに回動する、ことができる。
【００１０】
前記溝部は、ループ状に形成されたループ部を有することができ、また、前記溝部は、溝幅が拡大された拡幅部を有することができる。
【００１１】
前記ホルダ部は、引出される側の前側部と収納される側の後側部とに分離され、前記前側部が前記後側部に対して上向きに回動可能に設けられていてもよい
【発明の効果】
【００１２】
本開示の技術によれば、ボックスの使用スペースを十分に確保できると共に、操作性に優れたドリンクホルダ構造を提供することができる。
【図面の簡単な説明】
【００１３】
【図１】本実施形態に係るドリンクホルダ構造の斜視図である。
【図２】本実施形態に係るドリンクホルダ構造の分解斜視図である。
【図３】本実施形態に係るドリンクホルダ構造のボックス部の斜視図である。
【図４】本実施形態に係るドリンクホルダ構造のホルダ部を裏側から見た斜視図である。
【図５】本実施形態に係るドリンクホルダ構造の係合機構の動作を説明する側面図であり、（Ａ）は非係合時の状態、（Ｂ）は係合時の状態を示す。
【図６】従来のホルダ引出方法の一例（上側引出例）を示す概略図である。
【図７】従来のホルダ引出方法の他の例（下側引出例）を示す概略図であり、（Ａ）は引出当初の状態、（Ｂ）は引出途中の状態、（Ｃ）は引出途中の状態を示す。
【図８】本実施形態に係るホルダ引出方法を示す側面図であり、（Ａ）はホルダ部の引上時、（Ｂ）はホルダ部の下降時、（Ｃ）はホルダ部の押込時を示す。
【図９】他の実施形態に係るドリンクホルダ構造のケース部の斜視図である。
【図１０】更に他の実施形態に係るドリンクホルダ構造のホルダ部の斜視図である。
【発明を実施するための形態】
【００１４】
以下、添付図面に基づいて、本実施形態に係るドリンクホルダ構造について説明する。同一の部品には同一の符号を付してあり、それらの名称および機能も同じである。したがって、それらについての詳細な説明は繰返さない。
［本実施形態の構造］
（全体構造）
図１は、本実施形態に係るドリンクホルダ構造の斜視図である。
【００１５】
ドリンクホルダ構造１は、収納スペースを有するボックス部１０と、ドリンクの容器を保持するためのホルダ部２０と、ボックス部１０及びホルダ部２０を収納するケース部３０とを備えている。図１では、ドリンクホルダとして使用する状態を示しており、ボックス部１０及びホルダ部２０がケース部３０から引出されている。これに対して、ボックス部１０やホルダ部２０を使用しない場合は、これらがケース部３０内に収納される。なお、本明細書において、ボックス部１０及びホルダ部２０を引出す側を前側、ケース部３０へ収納する側を後側として説明する。
【００１６】
図２は、本実施形態に係るドリンクホルダ構造の分解斜視図である。
【００１７】
本図に従って、ボックス部１０、ホルダ部２０及びケース部３０の詳細について順に説明する。
（ボックス部１０）
ボックス部１０は、前壁１１、左側壁１２、右側壁１３、底面１５及び後壁１８を有し、箱形状に形成されている。また、前壁１１と後壁１８との間には中間壁１４が設けられ、前壁１１、左側壁１２、右側壁１３及び中間壁１４で区画される領域が収納スペースとしての収納部１６とされる。また、左側壁１２の下部にはボックス部１０をケース部３０からスライド移動させるために、スライド方向に沿って、ガイド凸部１２ａが設けられている。さらに、左側壁１２の中央部には凹部機構１７が形成されている。この凹部機構１７の構造の詳細については後述する。また、図示されていないが、右側壁１３においても左側壁１２と同様に、下部にはガイド凸部が形成され、中央部には凹部機構が形成されている。
（ホルダ部２０）
ホルダ部２０は、ドリンクの容器を支持する支持部２１と、支持部２１とは段差を設けて形成された基部２２とを有し、これらが左側面２４及び右側面２５（図４参照）によって連結されている。また、支持部２１には、ドリンクの容器を保持するための保持孔２６が形成されている。保持孔２６は、２つのドリンクの容器を保持するために、２つの円が連結した孔形状とされているが、保持する物の形態や個数に応じて単独の円形状や他の形状にすることもできる。
【００１８】
また、左側面２４においては、その後側の下部に下突起２４ａが設けられ、下突起２４ａの位置から更に後側の所定距離だけ離間した位置の上部に、上突起２４ｂが設けられている。さらに、左側面２４の中央部には、凹部機構１７と係合する凸部機構２７が設けられている。この凸部機構２７の構造の詳細については後述する。また、図示されていないが、右側面２５においても左側面２４と同様に、下突起、上突起及び凸部機構が形成されている。
（ケース部３０）
ケース部３０は、底面３１と、上面３２と、左側面３３と、右側面３４とを有し、これらの面によって区画された領域がボックス・ホルダ収納部３５とされる。ケース部３０は、その前端と後端が開口されている。また、上面３２は段差状に形成され、前側の高部面３２ａと後側の低部面３２ｂとを有する。
【００１９】
左側面３３には、前側から後側へのほぼ全域にわたって、２つのガイド溝３６，３７が設けられている。このうち、下側ガイド溝３６は、ホルダ部２０の左側面２４に設けられた下突起２４ａと嵌合し、他方、上側ガイド溝３７は上突起２４ｂと嵌合する。下側ガイド溝３６及び上側ガイド溝３７は、共に、ホルダ部２０がスライド移動する際に上下方向の動きを規制する。
また、上側ガイド溝３７は、直線部３８とループ部３９とを有する。直線部３８は、ホルダ部２０の引出時におけるホルタ部２０の上下方向の動きを規制し、ループ部３９は、後述する引上時及び押込時におけるホルタ部２０の上下方向の動きを規制する。ループ部３９は、ホルダ部２０の引上時における動きを規制する引上用溝３９ａと、ホルダ部２０の押込時における動きを規制する押込用溝３９ｂを含む。
【００２０】
また、左側面３３の内側には、スライド移動方向に沿ってガイド凹部３３ａが形成されている。ガイド凹部３３ａは、ボックス部１０の左側壁１２に設けられたガイド凸部１２ａと嵌合し、ボックス部１０がスライド移動する際の上下方向の動きを規制する。
【００２１】
また、図面では示していないが、右側面３４においても左側面３３と同様に、下側ガイド溝、上側ガイド溝及びガイド凹部を有している。
（凹部機構１７）
図３は、本実施形態に係るドリンクホルダ構造のボックス部の斜視図である。
ボックス部１０の左側壁１２は、その主要面を構成する基面１２ｂと、基面１２ｂとは異なる面であって、基面１２ｂよりも内側に形成された従面１２ｃとを含んでいる。基面１２ｂと従面１２ｃとの境界部（即ち、段差部）には、上下方向に延びる鉛直溝１２ｄが形成されている。鉛直溝１２ｄは、凹部機構１７をなし、後述するホルダ部２０の凸部機構２７と係合するように構成されている。また、図面では示していないが、右側壁１３においても左側壁１２と同様に、基面と該基面よりも内側に形成された従面とを有し、それらの境界部には鉛直溝が形成され、凹部機構とされている。
【００２２】
なお、本実施形態では、凹部機構１７の具体例として鉛直溝１２ｄの構造を示したが、これには限定されず、Ｌ字形状等の所定形状を有する溝や貫通孔であってもよい。
（凸部機構２７）
図４は、本実施形態に係るドリンクホルダ構造のホルダ部を裏側から見た斜視図である。
【００２３】
ホルダ部２０の左側面２４の中央部には、その一部が内側に屈曲されて、リブ２４ｃが形成されている。リブ２４ｃは、凸部機構２７をなし、ボックス部１０の左側壁１２に形成された凹部機構１７の鉛直溝１２ｄと係合する。同様に、ホルダ部２０の右側面２５の中央部には、その一部が内側に折り曲げられて、リブ２５ｃが形成されている。リブ２５ｃも凸部機構２７をなし、ボックス部１０の右側壁１３に形成された凹部機構の鉛直溝（不図示）と係合する。
【００２４】
なお、本実施形態では、凸部機構２７の具体例としてリブ２４ｃ，２５ｃの構造を示したが、これには限定されず、左側面２４（あるいは右側面２５）と一体的に形成された突起や左側面２４（あるいは右側面２５）の内側表面に設けられた突起物であってもよい。
【００２５】
また、図４に示すように、ホルダ部２０の基部２２の裏面側には、上下方向に延びるストッパ２８が形成されている。ストッパ２８は、以下のようにストッパとしての機能を有する。即ち、ホルダ部２０がケース部３０から引出されてスライド移動する際に、ホルダ部２０のストッパ２８がボックス部１０の中間壁１４に当接すると、ホルダ部２０の移動が抑止される。
（凹部機構１７及び凸部機構２７による係合機構の動作）
図５は、本実施形態に係るドリンクホルダ構造の係合機構の動作を説明する側面図であり、（Ａ）は非係合時の状態、（Ｂ）は係合時の状態を示す。
図５（Ａ）において、ホルダ部２０の左側面２４に形成されている下突起２４ａは、ケース部３０の左側面３３に形成されている下側ガイド溝３６の最前端に位置している。即ち、図５（Ａ）に示す状態は、ホルダ部２０がケース部３０から最も引き出された状態である。この状態の時、ホルダ部２０の凸部機構２７をなすリブ２４ｃ（図４参照）は、ボックス部１０の凹部機構１７をなす鉛直溝１２ｄよりも後側に位置しており、リブ２４ｃと鉛直溝１２ｄとは係合していない。この状態から、ボックス部１０を後側に移動させると、鉛直溝１２ｄの位置が後側に移動してリブ２４ｃの位置と重なる結果、リブ２４ｃは図５（Ａ）の矢印に示す通り鉛直溝１２ｄ内を下方に移動して係止し、図５（Ｂ）に示す如く係合状態となる。
［従来の引出方法の問題点］
次に、従来の引出式ドリンクホルダ構造を用いてホルダを引出す場合の問題点について説明する。
図６は、従来のホルダ引出方法の一例（上側引出例）を示す概略図である。この方法は、ホルダ部１２０の上側から指を引っ掛けてホルダ部１２０を引出す方法である。しかし、この方法では、ホルダ部１２０に指を掛けるため、予めケース部１３０からホルダ部１２０をスペースＬ分引出しておく必要がある。このため、ボックス部１１０の収納スペースが減少してしまい、使い勝手が悪くなる。
【００２６】
これに対して、図７は、従来のホルダ引出方法の他の例（下側引出例）を示す概略図である。この方法は、ホルダ部１２０の下側から指を引っ掛けてホルダ部１２０を引出す方法である。この方法では、ホルダ部１２０がケース部１３０に完全に収納されている状態であっても指を掛けることができるので（図７（Ａ）参照）、上記の上側引出例のように予めケース部１３０からホルダ部１２０をスペースＬ分引出しておく必要はない。しかし、指をホルダ部１２０の下側に掛けたまま引出すと、指とボックス部１１０の先端部とがぶつかり、最後まで引き出すことができない（図７（Ｂ）参照）。従って、この方法では、引出す途中で指を上から掛け直して最後まで引き出すことが必要となり（図７（Ｃ）参照）、操作性が悪くなってしまう。
［本実施形態に係るホルダ引出方法］
図８は、本実施形態に係るホルダ引出方法を示す側面図である。
本実施形態に係るホルダ引出方法では、予めケース部３０からボックス部１０を引出しておき、先ず、ホルダ部２０先端の爪部２３の下側に指を引っ掛けてホルダ部２０を引出す。この際、指に軽く上向きの力を与えながらホルダ部２０の引出しを行う。引出中、ホルダ部２０の左側面２４に形成されている下突起２４ａ及び上突起２４ｂは、図８（Ａ）の矢印に示すように、それぞれケース部３０の左側面３３に形成されている下側ガイド溝３６及び上側ガイド溝３７に沿って移動する。上突起２４ｂは、先ず上側ガイド溝３７の直線部３８に沿って移動するため、ホルダ部２０は水平にスライド移動する。上突起２４ｂは、その後、ループ部３９の引上用溝３９ａに沿って移動するため、ホルダ部２０の爪部２３の位置は上向きに上昇する（図８（Ａ）参照）。上突起２４ｂがループ部３９の引上用溝３９ａに沿って移動できる間は、ホルダ部２０は、上突起２４ｂを回転中心としてケース部３０に対して上向きに回動可能な状態となっている。このため、ホルダ部２０のボックス部１０に対する傾斜角度を変えることによって、ホルダ部２０の爪部２３の下側に掛けた指がボックス部１０の前壁１１と衝突することを防止できる。
【００２７】
次に、図８（Ｂ）に示すように、ホルダ部２０をケース部３０から完全に引出した後、ホルダ部２０の爪部２３を下向きに下降させる。即ち、ホルダ部２０を、上突起２４ｂを中心としてケース部３０に対して下向きに回動させる。なお、この状態では、ホルダ部２０の下突起２４ａ及び上突起２４ｂは、それぞれケース部３０の下側ガイド溝３６及び上側ガイド溝３７の最前端に位置している。
【００２８】
ホルダ部２０を収納する場合は、図８（Ｃ）に示すように、ホルダ部２０をケース３０の方向へと水平方向に押込む。この際、上突起２４ｂは、図８（Ｃ）の矢印に示すように、ループ部３９の収納用溝３９ｂに沿って移動した後、直線部３８に沿って後端へと移動する。他方、下突起２４ａも、図８（Ｃ）の矢印に示すように、下側ガイド溝３６に沿って後端へと移動する。
［本実施形態の効果］
本実施形態に係るドリンクホルダ構造では、ホルダ部２０の下突起２４ａと嵌合する下側ガイド溝３６と、上突起２４ｂと嵌合する上側ガイド溝３７とが設けられている。また、上側ガイド溝３７はループ部３９を有し、ループ部３９は、ホルダ部２０の引上時における動きを規制する引上用溝３９ａと、ホルダ部２０の押込時における動きを規制する押込用溝３９ｂの２つの形状の異なる溝を含んでいる。
【００２９】
このため、上突起２４ｂが引上用溝３９ａに沿って移動できる間は、ホルダ部２０は、上突起２４ｂを回転中心としてケース部３０に対して上向きに回動可能な状態となる。よって、ホルダ部２０のボックス部１０に対する傾斜角度を変えることにより、ホルダ部２０の爪部２３の下側に掛けた指がボックス部１０の前壁１１と衝突することを防止できる。
【００３０】
従って、従来例のように、ホルダ部２０の爪部２３の下側に掛けた指を途中で上側に掛け直す必要がなく、そのまま最後まで引出しても指がボックス部１０の前壁１１と衝突することがない。このため、１アクションで最後までホルダ部２０の引出操作が可能となり、操作性が向上する。このように、ユーザが特に意識すること無く、わずらわしい操作から開放される。
【００３１】
また、本実施形態に係るドリンクホルダ構造では、上記の通り、ホルダ部２０の爪部２３を有しているので、爪部２３の下側から指を掛けることができ、ホルダ部２０の上側から指を掛ける必要がない。このため、ケース部３０からホルダ部２０を予め引出しておく必要もなく、ボックス部１０の収納部１６を最大限に利用することができる。
［他の実施形態］
以上、本開示の実施形態を説明したが、上記実施形態は、例として提示したものであり、発明の範囲を限定することは意図していない。上記実施形態は、その他の様々な形態で実施されることが可能であり、本開示の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれるものである。
【００３２】
例えば、本実施形態では、ケース部３０の上側ガイド溝３７の一部にループ部３９を設けたが、図９に示すケース部３０’のように、ループ部３９に代えて、溝幅が直線部３８に比べて拡大された拡幅部３９’を設けてもよい。この構成においても、ループ部３９を設けた場合と同様に、ホルダ部２０がケース部３０に対して上向きに回動可能となる。
【００３３】
また、本実施形態では、ケース部３０の上側ガイド溝３７の一部にループ部３９を設けたが、上側ガイド溝３７の形状と下側ガイド溝３６の形状を入れ換えて、下側ガイド溝３６にループ部３９あるいは拡幅部３９’を設けることもできる。この場合は、回転中心となるホルダ部２０の突起が上突起２４ｂから下突起２４ａに替わり、ホルダ部２０の回動可能領域も変わってくる。従って、ホルダ部２０の回動可動領域を確保するために、必要に応じてケース部３０の端部に切欠き等を設けてもよい。
【００３４】
さらに、本実施形態では、ホルダ部２０の下突起２４ａと嵌合する下側ガイド溝３６と、上突起２４ｂと嵌合する上側ガイド溝３７の２本のガイド溝をケース部３０の側面に設けたが、ホルダ部２０に設ける突起を１個のみとし、この突起と嵌合する１本のガイド溝のみをケース部３０の側面に設けることもできる。この場合は、ループ部３９又は拡幅部３９’のような形状を設けずに直線部３８のみでも、直線部３８の任意の箇所で、上記突起を回転中心としてケース部３０に対してホルダ部２０が回動可能な状態となる。但し、図８（Ｂ）に示すように、ホルダ部２０をボックス部１０に下降させる際に、ホルダ部２０の位置が安定しなくなるため、固定部材等により別途固定することが好ましい。
【００３５】
また、ユーザが意図的にホルダ部２０を回動させなくても、ホルダ部２０をケース部３０から水平方向に引出している段階で、ホルダ部２０の回動を許容するように、ガイド溝の形状を適宜変更してもよい。
【００３６】
さらに、ケース部３０に設けたガイド溝の形状を変えるだけでなく、図１０に示すホルダ部２０’のように、ホルダを支持部（前側部）２１と基部（後側部）２２の２つに分離し、基部２２の側面側に設けられた突起２２ｂを支持部２１の側面側に設けられた貫通孔２１ｂに嵌め込むことによって、ホルダ部２０の支持部２１を基部２２に対して回動可能にすることもできる。
【００３７】
また、本実施形態に係るドリンクホルダ構造は、車両の車室内に装備される用途だけでなく、車両以外の飲食店や休憩場所等のデスク等に用いられるものであってもよい。
【符号の説明】
【００３８】
１  ドリンクホルダ構造
１０  ボックス部
１１  前壁
１２  左側壁
１２ａ  ガイド凸部
１２ｂ  基面
１２ｃ  従面
１２ｄ  鉛直溝
１３  右側壁
１３ｂ  基壁
１３ｃ  従壁
１４  中間壁
１５  底面
１６  収納部
１７  凹部機構
１８  後壁
２０，２０’  ホルダ部
２１  支持部（前側部）
２１ａ  支持側面部
２１ｂ  貫通孔
２２  基部（後側部）
２２ａ  側面部
２２ｂ  突起部
２３  爪部
２４  左側面
２４ａ  下突起（突起部）
２４ｂ  上突起（突起部）
２４ｃ  リブ
２５  右側面
２５ｃ  リブ
２６  ドリンク収納部
２７  凸部機構
２８  ストッパ
３０  ケース部
３１  底面
３２  上面
３２ａ  高部面
３２ｂ  低部面
３３  左側面
３３ａ  ガイド凹部
３４  右側面
３５  ボックス・ホルダ収納部
３６  下側ガイド溝（溝部）
３７，３７’  上側ガイド溝（溝部）
３８  直線部
３９  ループ部
３９’  拡幅部
３９ａ  引上用溝
３９ｂ  押込用溝
【図１】
2019156159.tif 000003
【図２】
2019156159.tif 000004
【図３】
2019156159.tif 000005
【図４】
2019156159.tif 000006
【図５】
2019156159.tif 000007
【図６】
2019156159.tif 000008
【図７】
2019156159.tif 000009
【図８】
2019156159.tif 000010
【図９】
2019156159.tif 000011
【図１０】
2019156159.tif 000012